(57)【要約】    【課題】  大口径比でありながら、全系が小型であり、至近撮像距離を含む物体距離全般にわたり高い光学性能が容易に得られるズームレンズを得ること。    【解決手段】  正の屈折力の第１レンズ群、負の屈折力の第２レンズ群、正の屈折力の第３レンズ群、正の屈折力の第４レンズ群、正の屈折力の第５レンズ群、第６レンズ群より構成され、広角端から望遠端へのズーミングに際して、第１レンズ群が物体側へ移動し、ズーミングに際して隣り合うレンズ群の間隔が変化するズームレンズであり、フォーカシングに際して第５レンズ群は移動し、広角端における全系の焦点距離ｆｗ、第５レンズ群の焦点距離ｆ５、広角端におけるＦナンバーＦｎｏｗ、広角端におけるレンズ全長Ｌｗ、無限遠合焦時の広角端における第５レンズ群の物体側のレンズ面から像面までの距離Ｄ５ｉｗ、広角端から望遠端へのズーミングにおける無限遠合焦時の第５レンズ群の移動量Ｍ５を各々適切に設定する。【選択図】    図１
2019113609.tif 000002
【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群、正の屈折力の第５レンズ群、第６レンズ群より構成され、広角端から望遠端へのズーミングに際して、前記第１レンズ群が物体側へ移動し、ズーミングに際して隣り合うレンズ群の間隔が変化するズームレンズであって、
フォーカシングに際して前記第５レンズ群は移動し、
広角端における全系の焦点距離をｆｗ、前記第５レンズ群の焦点距離をｆ５、広角端におけるＦナンバーをＦｎｏｗ、広角端におけるレンズ全長をＬｗ、無限遠合焦時の広角端における前記第５レンズ群の物体側のレンズ面から像面までの距離をＤ５ｉｗ、広角端から望遠端へのズーミングにおける無限遠合焦時の前記第５レンズ群の移動量をＭ５とするとき、
２．０＜ｆ５／ｆｗ＜１０．０
０．１＜Ｆｎｏｗ・Ｄ５ｉｗ／Ｌｗ＜０．８
０．０５＜Ｍ５／Ｌｗ＜０．３０
なる条件式を満足することを特徴とするズームレンズ。
【請求項２】
広角端における無限遠合焦時の前記第５レンズ群の横倍率をβ５ｗ、広角端における無限遠合焦時の前記第６レンズ群の横倍率をβ６ｗとし、広角端における無限遠合焦時の前記第５レンズ群のフォーカス敏感度ＥＳＷを
ＥＳＷ＝（１−β５ｗ２）×β６ｗ２
とおくとき、
０．３＜ＥＳＷ＜０．７
なる条件式を満足することを特徴とする請求項１に記載のズームレンズ。
【請求項３】
望遠端において無限遠合焦時の前記第５レンズ群の横倍率をβ５ｔ、望遠端において無限遠合焦時の前記第６レンズ群の横倍率をβ６ｔとし、望遠端において無限遠合焦時の前記第５レンズ群のフォーカス敏感度ＥＳＴを
ＥＳＴ＝（１−β５ｔ２）×β６ｔ２
とおくとき、
０．６＜ＥＳＴ＜１．２
なる条件式を満足することを特徴とする請求項１または２に記載のズームレンズ。
【請求項４】
広角端における無限遠合焦時の前記第５レンズ群の横倍率をβ５ｗ、広角端における無限遠合焦時の前記第６レンズ群の横倍率をβ６ｗとし、広角端における無限遠合焦時の前記第５レンズ群のフォーカス敏感度ＥＳＷを
ＥＳＷ＝（１−β５ｗ２）×β６ｗ２
とおき、
望遠端において無限遠合焦時の前記第５レンズ群の横倍率をβ５ｔ、望遠端において無限遠合焦時の前記第６レンズ群の横倍率をβ６ｔとし、望遠端において無限遠合焦時の前記第５レンズ群のフォーカス敏感度ＥＳＴを
ＥＳＴ＝（１−β５ｔ２）×β６ｔ２
とおくとき、
１．５＜ＥＳＴ／ＥＳＷ＜５．０
なる条件式を満足することを特徴とする請求項１乃至３のいずれか１項に記載のズームレンズ。
【請求項５】
広角端における無限遠合焦時の前記第５レンズ群の横倍率をβ５ｗ、望遠端において無限遠合焦時の前記第５レンズ群の横倍率をβ５ｔとするとき、
０．５＜β５ｔ／β５ｗ＜１．０
なる条件式を満足することを特徴とする請求項１乃至４のいずれか１項に記載のズームレンズ。
【請求項６】
前記第５レンズ群の最も物体側のレンズ面の曲率半径をＲ５ａ、前記第５レンズ群の最も像側のレンズ面の曲率半径をＲ５ｂとするとき、
−１．５＜（Ｒ５ａ＋Ｒ５ｂ）／（Ｒ５ａ−Ｒ５ｂ）＜０．５
なる条件式を満足することを特徴とする請求項１乃至５のいずれか１項に記載のズームレンズ。
【請求項７】
前記第５レンズ群は１つのレンズ成分から構成されていることを特徴とする請求項１乃至６のいずれか１項に記載のズームレンズ。
【請求項８】
前記１つのレンズ成分は非球面を有することを特徴とする請求項７に記載のズームレンズ。
【請求項９】
前記第６レンズ群の焦点距離をｆ６とするとき、
ｆ５／｜ｆ６｜＜１．０
なる条件式を満足することを特徴とする請求項１乃至８のいずれか１項に記載のズームレンズ。
【請求項１０】
広角端から望遠端へのズーミングにおける無限遠合焦時の前記第６レンズ群の移動量をＭ６とするとき、
−０．１＜Ｍ６／Ｍ５＜０．６
なる条件式を満足することを特徴とする請求項１乃至９のいずれか１項に記載のズームレンズ。
【請求項１１】
広角端における無限遠合焦時の、前記第４レンズ群と、前記第５レンズ群と、前記第６レンズ群の合成焦点距離をｆ４５６ｗとするとき、
１．５＜ｆ４５６ｗ／ｆｗ＜３．５
なる条件式を満足することを特徴とする請求項１乃至１０のいずれか１項に記載のズームレンズ。
【請求項１２】
無限遠から近距離へのフォーカシングに際して前記第５レンズ群は物体側へ移動することを特徴とする請求項１乃至１１のいずれか１項に記載のズームレンズ。
【請求項１３】
請求項１乃至１２のいずれか１項に記載のズームレンズと、該ズームレンズによって形成される像を受光する撮像素子とを有していることを特徴とする撮像装置。
【発明の詳細な説明】
【技術分野】
【０００１】
本発明は、ズームレンズ及び撮像装置に関し、特に全系が小型で、高性能なデジタルカメラやビデオカメラ等の撮像装置の撮像光学系として好適なものである。
【背景技術】
【０００２】
近年、撮像素子を用いた撮像装置においては、高性能かつ装置全体の小型化の要求が高まっている。特に、撮像素子を大型化することにより高画質であるとともに全体が小型である撮像装置の要求が高まっている。
【０００３】
従来、撮像装置の高画質化と小型化を同時に達成するために、撮像光学系として沈胴式のズームレンズが多く用いられている。沈胴式のズームレンズでは、非撮像時に各レンズ群の間隔を撮像状態と異なる間隔に縮小し、撮像装置全体としての厚みを薄くしている。
【０００４】
一方、撮像素子が大きくなると画素ピッチ等も大きくなり、１画素に取り込める光量が増えることから低ノイズとなりズームレンズの高画質化が容易になる。このときズームレンズは撮像素子の大きさに比例して焦点距離が長くなる。焦点距離が長くなると被写界深度が浅い撮像が容易になる。
【０００５】
一般に焦点距離が長くなると、レンズ全長やズームレンズの諸収差も同様に比例倍で大きくなる。このため、小さい寸法の撮像素子を用いたときと同じズームレンズでは、諸収差を小さく抑えることが困難となり、より小型で高性能なズームレンズが要求される。さらに、撮影距離も撮像素子の大きさに比例して長くなるため、至近撮影距離が短いことが要求される。
【０００６】
これらの要求に応えるズームレンズとして最も物体側に正の屈折力のレンズ群を配置したポジティブリード型のズームレンズが知られている（特許文献１、２）。特許文献１、２では、物体側から像側へ順に、正、負、正、正、正、負の屈折力の第１レンズ群乃至第６レンズ群からなるズームレンズを開示している。
【先行技術文献】
【特許文献】
【０００７】
【特許文献１】特開２０１６−０４８３５５号公報
【特許文献２】米国特許公報第９００１４３２号公報
【発明の概要】
【発明が解決しようとする課題】
【０００８】
多くの撮像装置では非撮像時に撮像装置を薄型化するために、沈胴方式を用いレンズ鏡筒を数段に分けて、各レンズ群を光軸方向に畳んで収納している。一般に、沈胴方式においては、フォーカスに関するメカ機構が大きくなり、沈胴時の撮像装置の厚さに大きな影響を与える。このため、物体距離全般にわたり高い光学性能を確保しつつ、撮像装置に用いたときの薄型化を効果的に行うためには、ズームレンズを構成するレンズ群の数や、各レンズ群のレンズ構成を適切に設定することが重要になってくる。更にフォーカス用のレンズ群の構成等を適切に設定することが重要になってくる。
【０００９】
特に、ズーミングに際しての第１レンズ群の移動条件や、フォーカス用のレンズ群の屈折力や光軸上の位置、そしてフォーカス用のレンズ群のズーミングに際しての移動量等を適切に設定することが重要になってくる。
【００１０】
本発明は、大口径比でありながら、全系が小型であり、至近撮像距離を含む物体距離全般にわたり高い光学性能が容易に得られるズームレンズ及び撮像装置の提供を目的とする。
【課題を解決するための手段】
【００１１】
本発明のズームレンズは、物体側から像側へ順に配置された、正の屈折力の第１レンズ群、負の屈折力の第２レンズ群、正の屈折力の第３レンズ群、正の屈折力の第４レンズ群、正の屈折力の第５レンズ群、第６レンズ群より構成され、
広角端から望遠端へのズーミングに際して、前記第１レンズ群が物体側へ移動し、ズーミングに際して隣り合うレンズ群の間隔が変化するズームレンズであって、フォーカシングに際して前記第５レンズ群は移動し、広角端における全系の焦点距離をｆｗ、前記第５レンズ群の焦点距離をｆ５、広角端におけるＦナンバーをＦｎｏｗ、広角端におけるレンズ全長をＬｗ、無限遠合焦時で広角端における前記第５レンズ群の物体側のレンズ面から像面までの距離をＤ５ｉｗ、広角端から望遠端へのズーミングにおける前記第５レンズ群の移動量をＭ５とするとき、
２．０＜ｆ５／ｆｗ＜１０．０
０．１＜Ｆｎｏｗ・Ｄ５ｉｗ／Ｌｗ＜０．８
０．０５＜Ｍ５／Ｌｗ＜０．３０
なる条件式を満足することを特徴としている。
【発明の効果】
【００１２】
本発明によれば、大口径比でありながら、全系が小型であり、至近撮像距離を含む物体距離全般にわたり高い光学性能が容易に得られるズームレンズが得られる。
【図面の簡単な説明】
【００１３】
【図１】実施例１の広角端におけるレンズ断面図
【図２】（Ａ）、（Ｂ）、（Ｃ）  実施例１の広角端、中間のズーム位置、望遠端における収差図
【図３】実施例２の広角端におけるレンズ断面図
【図４】（Ａ）、（Ｂ）、（Ｃ）  実施例２の広角端、中間のズーム位置、望遠端における収差図
【図５】実施例３の広角端におけるレンズ断面図
【図６】（Ａ）、（Ｂ）、（Ｃ）  実施例３の広角端、中間のズーム位置、望遠端における収差図
【図７】実施例４の広角端におけるレンズ断面図
【図８】（Ａ）、（Ｂ）、（Ｃ）  実施例４の広角端、中間のズーム位置、望遠端における収差図
【図９】実施例５の広角端におけるレンズ断面図
【図１０】（Ａ）、（Ｂ）、（Ｃ）  実施例５の広角端、中間のズーム位置、望遠端における収差図
【図１１】実施例６の広角端におけるレンズ断面図
【図１２】（Ａ）、（Ｂ）、（Ｃ）  実施例６の広角端、中間のズーム位置、望遠端における収差図
【図１３】本発明の撮像装置の要部概略図
【発明を実施するための形態】
【００１４】
以下、本発明のズームレンズ及びそれを有する撮像装置について説明する。本発明の各実施例におけるズームレンズは、物体側より像側へ順に配置された次のレンズ群より構成している。正の屈折力の第１レンズ群、負の屈折力の第２レンズ群、正の屈折力の第３レンズ群を有している。さらに正の屈折力の第４レンズ群、正の屈折力の第５レンズ群、正又は負の屈折力を有する第６レンズ群より構成している。ズーミングに際して隣り合うレンズ群の間隔が変化する。
【００１５】
ここで、本発明におけるレンズ群は、ズーミングに際して移動する最小構成のレンズ群を１つのレンズ群としている。つまり、レンズ群内の一部のレンズでフォーカスを行う部分群フォーカスや、レンズ群内の一部のレンズで防振を行う部分群防振を１つのレンズ群とみなしている。また、レンズ群内の一部を稼動させる光学系に関しては、ズーミングに際して同じ動きをする複数のレンズ群に関してはこれを１つのレンズ群とみなしている。
【００１６】
図１は実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。
【００１７】
図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。
【００１８】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。
【００１９】
図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。
【００２０】
図９は実施例４のズームレンズの広角端におけるレンズ断面図である。図１０（Ａ）、（Ｂ）、（Ｃ）はそれぞれ実施例４のズームレンズの広角端、中間のズーム位置、望遠端における収差図である。
【００２１】
図１１は実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。
【００２２】
実施例１乃至４、６はズーム比４．７１、Ｆナンバー１．８５〜２．８８のズームレンズである。実施例５はズーム比４．７１、Ｆナンバー１．８６〜２．８８のズームレンズである。
【００２３】
図１３は本発明のズームレンズを備えるカメラ（撮像装置）の要部概略図である、各実施例のズームレンズはビデオカメラやデジタルカメラ、監視カメラ、ＴＶカメラ等の撮像装置に用いられる撮像光学系である。レンズ断面図において、左方が被写体側（物体側）（前方）で、右方が像側（後方）である。レンズ断面図において、Ｌ０はズームレンズである。またｉは物体側からのレンズ群の順番を示し、Ｂｉは第ｉレンズ群である。
【００２４】
各実施例のレンズ断面図において、Ｂ１は正の屈折力の第１レンズ群、Ｂ２は負の屈折力の第２レンズ群、Ｂ３は正の屈折力の第３レンズ群、Ｂ４は正の屈折力の第４レンズ群、Ｂ５は正の屈折力の第５レンズ群である。実施例１乃至５においてＢ６は負の屈折力の第６レンズ群、実施例６においてＢ６は正の屈折力の第６レンズ群である。
【００２５】
各実施例において、ＳＰは開口絞りであり、第２レンズ群Ｂ２と第３レンズ群Ｂ３の間に配置している。このように配置することで、広角端における中間像高のフレアをカットすることができて、高性能化が容易となる。また、撮像素子から開口絞りＳＰを遠ざけることで撮像素子への光束の入射角を緩くすることができるため、シェーディング等による画像の劣化が少なく高画質化が容易となる。
【００２６】
さらに、第２レンズ群Ｂ２と第３レンズ群Ｂ３の間に開口絞りＳＰを配置することにより、ズーミングに際してレンズ群と開口絞りＳＰを別体（異なった軌跡）で移動させることができる。
【００２７】
各実施例では、このように開口絞りをズーミングに際して別体で移動させることにより、中間のズーム位置において低像高のフレアをカットして高画質化を図っている。ただし、別体とすることでメカ機構が複雑化してしまうときには、第３レンズ群Ｂ３と開口絞りＳＰを一体で（同じ軌跡で）移動させて構成を簡素化しても良い。
【００２８】
ＧＢは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。
【００２９】
各収差図において、実線のｄはｄ線（波長５８７．６ｎｍ）、二点鎖線のｇはｇ線（波長４３５．８ｎｍ）である。非点収差図において破線のＭはｄ線のメリディオナル像面、実線のＳはｄ線のサジタル像面である。倍率色収差はｇ線によって表している。ωは半画角（撮像画角の半分の値）、ｆｎｏはＦナンバーである。尚、以下の各実施例において広角端と望遠端は通常撮影領域において変倍用レンズ群が機構上光軸上を移動可能な範囲に位置したときのズーム位置をいう。
【００３０】
各実施例において広角端から望遠端へのズーミングにおける各レンズ群の間隔変化は次のとおりである。広角端に比べて望遠端において第１レンズ群Ｂ１と第２レンズ群Ｂ２の間隔が広がり、第２レンズ群Ｂ２と開口絞りＳＰの間隔が狭まり、開口絞りＳＰと第３レンズ群Ｂ３の間隔が狭まる。
【００３１】
さらに、第３レンズ群Ｂ３と第４レンズ群Ｂ４の間隔が狭まり、第４レンズ群Ｂ４と第５レンズ群Ｂ５の間隔が広がり、第５レンズ群Ｂ５と第６レンズ群Ｂ６の間隔が広がる。広角端から望遠端へのズーミングに際して第１レンズ群Ｂ１は物体側へ移動し、これより、第１レンズ群Ｂ１の正の屈折力を弱くして、望遠端において軸上色収差、コマ収差を良好に補正している。
【００３２】
各実施例では、広角端から望遠端へのズーミングに際して矢印のように第１レンズ群Ｂ１、第３レンズ群Ｂ３、第４レンズ群Ｂ４、第５レンズ群Ｂ５は物体側へ移動する。第２レンズ群Ｂ２は像側に移動している。第２レンズ群Ｂ２は像側に移動することで第２レンズ群Ｂ２の変倍作用が大きくなり、高ズーム比化を容易にしている。
【００３３】
一方で、第２レンズ群Ｂ２が像側に移動すると第１レンズ群Ｂ１からの距離が離れてしまう。第２レンズ群Ｂ２の像側には開口絞りＳＰが配置されているため、第１レンズ群Ｂ１と第２レンズ群Ｂ２の間隔が大きくなりすぎると前玉有効径が増大してくる。
【００３４】
このため、第２レンズ群Ｂ２は像側でなく、物体側に移動させて前玉有効径の増大を抑制しても良い。このとき第２レンズ群Ｂ２の変倍作用は小さくなるので、ズーム比と前玉有効径のバランスをどこにとるかによって決めても良い。また、第６レンズ群Ｂ６は、実施例４では広角端に比べて望遠端で像側に移動し、その他の実施例においては広角端に比べて望遠端で物体側へ移動する。
【００３５】
第６レンズ群Ｂ６を像側に移動させると、周辺光線が第６レンズ群Ｂ６の高い位置を通るため、像面湾曲や倍率色収差の補正が容易になる。また第６レンズ群Ｂ６の屈折力が正の場合には、像側への移動により変倍作用が大きくなるため主要な変倍作用を有する第２レンズ群Ｂ２や第３レンズ群Ｂ３の正の屈折力を弱めることができる。このため製造敏感度を低くしたり、構成レンズ枚数を減したりすることができる。
【００３６】
一方、第６レンズ群Ｂ６を像側に移動するとレンズ径の確保が必要となるのでレンズの厚みが厚くなりやすい。実施例１乃至３、５、６では第６レンズ群Ｂ６を物体側に移動させることで周辺光線の低い位置を通るように設計することで、レンズ径の縮小、引いてはレンズ厚を薄くしている。第６レンズ群Ｂ６に関してもズーム比と第６レンズ群Ｂ６の大きさのバランスをどこにとるかにより移動のさせ方を決めても良い。
【００３７】
各実施例では無限遠から至近へのフォーカシングに際し、第５レンズ群Ｂ５を物体側へ移動させている。
【００３８】
各実施例では第５レンズ群Ｂ５を移動させて変倍に伴う像面変動を補正すると共に、フォーカシングを行っている。第５レンズ群Ｂ５に関する実線の曲線５ａと点線の曲線５ｂは各々、無限遠物体と近距離物体にフォーカスしているときの変倍に伴う像面変動を補正するための移動軌跡である。また無限遠物体から近距離物体へのフォーカスは矢印５ｃに示す如く第５レンズ群Ｂ５を物体側へ移動させている。
【００３９】
各実施例において像ぶれ補正に際して第３レンズ群Ｂ３を光軸に対し垂直方向の成分を持つ方向に移動させて、光軸に対し垂直方向に像を変位させている。これによりズームレンズが振動したときの画像の振れを補正している。各実施例では、可変頂角プリズム等の光学部材や防振のためのレンズ群を新たに追加することなく像ぶれ補正を行うようにし、これによって全系が大型化するのを防いでいる。
【００４０】
尚、各実施例ではレンズ群を光軸に対して垂直方向の成分を持つ方向に移動させて像ぶれ補正を行っているが、移動方式はレンズ群を光軸に対して垂直方向の成分を持つように移動させれば画像の振れを補正することができる。例えば鏡筒構造の複雑化を許容すれば、光軸上に回転中心を持つようにレンズ群を回動させて像ぶれ補正を行ってもよい。また、レンズ群としては上記のレンズ群以外にも第１レンズ群Ｂ１や第２レンズ群Ｂ２等の各レンズ群、複数のレンズ群や光学系全体を移動させても良い。
【００４１】
各実施例おいて、第１レンズ群Ｂ１は１枚の負レンズ及び１枚の正レンズにより構成している。光学系の中で最も有効径の大きい第１レンズ群Ｂ１を２枚のレンズで構成することにより、第１レンズ群Ｂ１の厚みを抑え沈同時のカメラ厚の薄型化を実現している。また、２枚のレンズを使用することで望遠端において球面収差やコマ収差を良好に補正している。
【００４２】
第２レンズ群は２枚または３枚の負レンズと１枚又は２枚の正レンズとを含む全体として３枚または４枚のレンズから構成している。第２レンズ群Ｂ２を物体側から負レンズ、負レンズ、正レンズ、負レンズの順で構成すると負の屈折力を３枚の負レンズで分担することができるため、第２レンズ群Ｂ２の敏感度を小さく抑えることができる。また、最も像側に負レンズを配置すると望遠端において、第３レンズ群Ｂ３とともに球面収差及び軸上色収差を良好に補正することができる。
【００４３】
また第２レンズ群Ｂ２を物体側から負レンズ、正レンズ、負レンズ、正レンズの順で構成すると中間の正レンズの作用により広角端において像面湾曲を良好に補正することができる。これとともに、第２レンズ群Ｂ２内の色消しを行い易く、広角端において倍率色収差の補正が容易になる。
【００４４】
また、第２レンズ群Ｂ２を物体側から負レンズ、負レンズ、正レンズの順で構成すると、レンズ枚数が少ないので沈胴時のカメラ厚を薄くすることができ、全系の小型化に有利となる。第２レンズ群Ｂ２はそれぞれ単レンズから構成されており、レンズ間の空気レンズを利用して広角端において像面湾曲を良好に補正している。また、第２レンズ群Ｂ２の負レンズに非球面を使用すると像面湾曲と歪曲を良好に補正することができ、更なる高性能化が容易となる。
【００４５】
各実施例において第３レンズ群Ｂ３は２枚の正レンズと１枚の負レンズにより構成している。第３レンズ群Ｂ３は変倍作用の大きいレンズ群であるため、正レンズを先行させる構成とすることにより主点を物体側へ位置する構成としている。また、負レンズは像側に凹形状とすることでズーム全域におけるコマ収差を良好に補正している。
【００４６】
各実施例において第４レンズ群Ｂ４は１枚の正レンズにより構成している。特にこの正レンズの材料は低分散で構成しており、広角端において倍率色収差と望遠端において軸上色収差を良好に補正している。最小のレンズ枚数で構成することでカメラの薄型化と高性能化を同時に達成している。また、第５レンズ群は、１つのレンズ成分、すなわち、１つのレンズ又は複数のレンズを接合したレンズ成分より構成している。
【００４７】
各実施例では、１つのレンズ成分を１枚の正レンズにより構成している。第５レンズ群Ｂ５はフォーカスレンズであるため、最小のレンズ枚数で構成することで、第５レンズ群Ｂ５を軽量化し高速なフォーカシングを容易にしている。第５レンズ群Ｂ５に非球面を使用しても良く、これによればズーム全域において像面湾曲を良好に補正することができる。
【００４８】
第５レンズ群Ｂ５を複数のレンズを接合した接合レンズで構成すると収差補正が容易になる。また、第６レンズ群は１枚の負レンズと１枚の正レンズより構成している。これら２枚のレンズのレンズ間に正の屈折力の空気レンズを形成することで、全系のペッツバール和を調整しズーム全域において像面湾曲を良好に補正している。第６レンズ群Ｂ６に非球面を使用しても良く、これによれば像面湾曲の補正が容易になる。
【００４９】
多くの小型、薄型重視の撮像装置に使用されるズームレンズでは、広角端において歪曲収差を大きく発生させ、これを電子的に補正することでズームレンズの小型化、高性能化を図っている。
【００５０】
一般に、歪曲収差を大きく発生させると物体距離の変動により球面収差が大きく発生する。このため、無限遠では良好な光学性能も至近距離では球面収差が大きく発生して光学性能が低下してくる。特に広角端のＦナンバー（Ｆｎｏ）が小さく明るいズームレンズではフォーカスに際して球面収差が大きく発生してくる。
【００５１】
各実施例のズームレンズでは、このときの球面収差の発生を抑制するために、広角端においてフォーカス用の第５レンズ群Ｂ５を像面近傍に配置し、繰り出し量を大きくしている。繰り出し量を大きくするために第５レンズ群Ｂ５の正の屈折力を緩め、さらに像面近傍の瞳近軸光線の低い場所に配置することで球面収差の変動を小さく抑えている。
【００５２】
一方、望遠端においてはピントの変化量が大きくなるため、正の屈折力の弱い第５レンズ群Ｂ５を物体側に配置して所望のフォーカス敏感度を得る構成としている。以上の構成によりズーム全域でフォーカス性能の良好なズームレンズを実現している。
【００５３】
実施例１乃至６は、物体側から像側へ順に、正、負、正、正、正の屈折力の第１レンズ群Ｂ１乃至第５レンズ群Ｂ５と、正又は負の屈折力の第６レンズ群Ｂ６より構成している。
【００５４】
広角端から望遠端へのズーミングに際して、第１レンズ群Ｂ１が物体側へ移動する。ズーミングに際して隣り合うレンズ群の間隔が変化する。フォーカシングに際して第５レンズ群Ｂ５は移動する。広角端における全系の焦点距離をｆｗ、第５レンズ群Ｂ５の焦点距離をｆ５とする。広角端におけるＦナンバーをＦｎｏｗ、広角端におけるレンズ全長をＬｗ、無限遠合焦時で広角端における第５レンズ群Ｂ５の物体側のレンズ面から像面までの距離をＤ５ｉｗとする。広角端から望遠端へのズーミングにおける無限遠合焦時の第５レンズ群の移動量をＭ５とする。
【００５５】
このとき、
２．０＜ｆ５／ｆｗ＜１０．０              ・・・（１）
０．１＜Ｆｎｏｗ・Ｄ５ｉｗ／Ｌｗ＜０．８  ・・・（２）
０．０５＜Ｍ５／Ｌｗ＜０．３０            ・・・（３）
なる条件式を満足する。
【００５６】
ここでレンズ群の移動量とは、広角端における光軸上の位置と望遠端における光軸上の位置の差をいう。移動量の符号は、広角端に比べて望遠端においてレンズ群が物体側に位置するときを負、像側に位置するときを正とする。
【００５７】
次に前述の各条件式の技術的意味について説明する。条件式（１）は広角端における全系の焦点距離に対する第５レンズ群Ｂ５の焦点距離の比率を規定している。条件式（１）の下限を超えると、第５レンズ群Ｂ５の正の屈折力が強くなりすぎるため広角端で至近距離において球面収差を良好に補正することが困難となる。
【００５８】
条件式（１）の上限を超えると、第５レンズ群Ｂ５の正の屈折力が弱くなり、フォーカス敏感度が小さくなりすぎる。フォーカス敏感度が小さくなりすぎるとピントを補正するための第５レンズ群Ｂ５の繰り出し量が大きくなり、このため長いフォーカス移動量の確保が困難となるか、至近撮影時の被写体距離を短くすることが困難になる。
【００５９】
条件式（２）は広角端における第５レンズ群Ｂ５の光軸方向の位置を規定している。各実施例のズームレンズではＦナンバー（Ｆｎｏ）が小さいほど球面収差の補正の効果を発揮しやすくするため、像面近傍にフォーカス用の第５レンズ群Ｂ５を配置している。条件式（２）の下限を超えると、第５レンズ群Ｂ５が像面近くに配置させられることとなり、フォーカス敏感度が低くなりすぎる。このため、フォーカス移動量を確保することが困難となったり、至近撮像時の被写体距離を短くするのが困難になる。あるいはＦナンバーが小さくなりすぎ、球面収差が大きく発生しやすく、この収差の補正が困難となる。
【００６０】
条件式（２）の上限を超えると、第５レンズ群Ｂ５が像面から離れた位置に配置される。このため瞳近軸光線の入射高さが高くなるため、フォーカスによる球面収差の変動が増加し、この収差の補正が困難となる。あるいはＦナンバーが暗くなってしまうので好ましくない。
【００６１】
条件式（３）はズーミングにおける第５レンズ群Ｂ５の移動量と広角端におけるレンズ全長との比に関する。条件式（３）の下限を超えると、第５レンズ群Ｂ５の移動量が小さくなりすぎて望遠端においてフォーカス敏感度が低くなりすぎる。望遠端はピントの変動が大きいため、フォーカス敏感度が小さくなりすぎるとフォーカス移動量の十分な長さの確保が困難となるか、至近撮像時の被写体距離を短くするのが困難になる。また、下線でフレアが大きく発生すため周辺でコマ上のスポットとなり光学性能が低下してくる。
【００６２】
条件式（３）の上限を超えると、第５レンズ群Ｂ５の移動量が大きくなりすぎて、第５レンズ群Ｂ５が像面から離れてフォーカス敏感度が高くなりすぎる。このためメカ的な制御が難しくなると同時に、軸上光束と周辺光束が重なる領域でフォーカスすることになり、像面湾曲が大きく発生してくる。
【００６３】
尚、小型でかつ至近撮影で球面収差が少なくするためにより好ましくは、条件式（１）乃至条件式（３）の数値範囲を次の如く設定するのが良い。
３．０＜ｆ５／ｆｗ＜８．０                ・・・（１ａ）
０．２＜Ｆｎｏｗ・Ｄ５ｉｗ／Ｌｗ＜０．５  ・・・（２ａ）
０．０５＜Ｍ５／Ｌｗ＜０．２５            ・・・（３ａ）
【００６４】
更に好ましくは、条件式（１ａ）乃至条件式（３ａ）の数値範囲を次の如く設定するのが良い。
４．０＜ｆ５／ｆｗ＜６．０                ・・・（１ｂ）
０．３＜Ｆｎｏｗ・Ｄ５ｉｗ／Ｌｗ＜０．４  ・・・（２ｂ）
０．０８＜Ｍ５／Ｌｗ＜０．２０            ・・・（３ｂ）
【００６５】
各実施例において好ましくは次の条件式のうち１つ以上を満足するのが良い。広角端における無限遠合焦時の第５レンズ群Ｂ５の横倍率をβ５ｗ、広角端における無限遠合焦時の第６レンズ群Ｂ６の横倍率をβ６ｗとする。広角端における無限遠合焦時の第５レンズ群のフォーカス敏感度ＥＳＷを
ＥＳＷ＝（１−β５ｗ２）×β６ｗ２
とおく。
【００６６】
望遠端における無限遠合焦時の第５レンズ群Ｂ５の横倍率をβ５ｔ、望遠端における無限遠合焦時の第６レンズ群Ｂ６の横倍率をβ６ｔとする。望遠端における無限遠合焦時の第５レンズ群のフォーカス敏感度ＥＳＴを
ＥＳＴ＝（１−β５ｔ２）×β６ｔ２
とおく。
【００６７】
広角端における無限遠合焦時の第５レンズ群Ｂ５の横倍率をβ５ｗ、望遠端における無限遠合焦時の第５レンズ群Ｂ５の横倍率をβ５ｔとする。第５レンズ群Ｂ５の最も物体側のレンズ面の曲率半径と最も像側のレンズ面の曲率半径を各々Ｒ５ａ、Ｒ５ｂとする。第６レンズ群Ｂ６の焦点距離をｆ６とする。広角端から望遠端へのズーミングにおける無限遠合焦時の第６レンズ群Ｂ６の移動量をＭ６とする。広角端における無限遠合焦時の第４レンズ群Ｂ４、第５レンズ群Ｂ５、第６レンズ群Ｂ６の合成焦点距離をｆ４５６ｗとする。
【００６８】
このとき、次の条件式のうち１つ以上を満足するのが良い。
０．３＜ＥＳＷ＜０．７          ・・・（４）
０．６＜ＥＳＴ＜１．２          ・・・（５）
１．５＜ＥＳＴ／ＥＳＷ＜５．０  ・・・（６）
０．５＜β５ｔ／β５ｗ＜１．０  ・・・（７）
−１．５＜（Ｒ５ａ＋Ｒ５ｂ）／（Ｒ５ａ−Ｒ５ｂ）＜０．５  ・・・（８）
ｆ５／｜ｆ６｜＜１．０          ・・・（９）
−０．１＜Ｍ６／Ｍ５＜０．６    ・・・（１０）
１．５＜ｆ４５６ｗ／ｆｗ＜３．５  ・・・（１１）
【００６９】
次に前述の各条件式の技術的意味について説明する。条件式（４）は広角端における第５レンズ群Ｂ５のフォーカス敏感度に関する。条件式（４）の下限を超えると、ピントを補正するための第５レンズ群Ｂ５の繰り出し量が大きくなり、このためフォーカス移動量の十分な長さの確保が困難となるか、至近撮像時の被写体距離を短くするのが困難になる。条件式（４）の上限を超えると、メカ的な制御が難しくなる。あるいは第５レンズ群Ｂ５の正の屈折力が強くなるか、瞳近軸光線の高い位置に第５レンズ群Ｂ５を配置する必要があるため、至近撮像において球面収差の補正が困難となる。
【００７０】
条件式（５）は望遠端における第５レンズ群Ｂ５のフォーカス敏感度に関する。条件式（５）の下限を超えると、ピントを補正するための第５レンズ群Ｂ５の繰り出し量が大きくなり、このためフォーカス移動量の十分な長さの確保が困難となるか、至近撮像時に被写体距離を短くするのが困難になる。特に望遠端は同じ撮像距離の変化であってもピント変動量が大きくなるので広角端よりもフォーカス敏感度を高くする必要がある。
【００７１】
条件式（５）の上限を超えると、メカ的な制御が難しくなると同時に、第５レンズ群Ｂ５が像面から離れることで、軸上光束と周辺光束が重なる領域でフォーカスすることになり、像面湾曲が大きく発生してくる。
【００７２】
条件式（６）は広角端及び望遠端における第５レンズ群Ｂ５のフォーカス敏感度の比を規定している。前述のように、同じ撮像距離の変化であってもピント変動量が広角端に比べて望遠端の方が大きくなる。このため条件式（６）のようなフォーカス敏感度とすることで広角端及び望遠端の第５レンズ群Ｂ５の繰り出し量をバランスさせて至近撮像距離の高性能化と全系の小型化を図っている。
【００７３】
条件式（６）の下限を超えると、望遠端におけるフォーカス敏感度が小さくなりすぎてフォーカス移動量の十分な長さの確保が困難となるか、至近撮像時の被写体距離を短くするのが困難になる。あるいは広角端におけるフォーカス敏感度が大きくなりすぎてメカ的な制御が難しくなるか、至近撮像距離における球面収差の補正が困難となる。
【００７４】
条件式（６）の上限を超えると、望遠端におけるフォーカス敏感度が大きくなりすぎてメカ的な制御が難しくなると同時に至近撮像距離における像面湾曲の補正が困難となる。あるいは広角端におけるフォーカス敏感度が小さくなりすぎてフォーカス移動量の十分な長さの確保が困難となるか、至近撮像時の被写体距離を短くするのが困難になる。
【００７５】
条件式（７）は第５レンズ群Ｂ５の変倍分担量を規定している。条件式（７）の下限を超えると、第５レンズ群Ｂ５の物体側への移動量が大きくなるか、第５レンズ群Ｂ５の屈折力が強くなる。第５レンズ群Ｂ５の物体側への移動量が大きくなると第５レンズ群Ｂ５が像面から離れてフォーカス敏感度が高くなりすぎる。このためメカ的な制御が難しくなると同時に望遠端において至近撮像距離において像面湾曲の補正が困難となる。あるいは第５レンズ群Ｂ５の正の屈折力が強くなり、広角端において至近撮像距離において球面収差の補正が困難となる。
【００７６】
条件式（７）の上限を超えると、ズーミングに際して第５レンズ群Ｂ５の物体側への移動量が小さくなるか、第５レンズ群Ｂ５の正の屈折力が弱くなる。第５レンズ群Ｂ５の物体側への移動量が小さくなると、望遠端にてフォーカス敏感度が低くなり、フォーカス移動量の十分な長さの確保が困難となるか、至近撮像時に被写体距離を短くするのが困難になる。あるいは第５レンズ群Ｂ５の正の屈折力が弱くなると、広角端におけるフォーカス敏感度が低くなりすぎてフォーカス移動量の十分な長さの確保が困難となるか、至近撮像時に被写体距離を短くするのが困難になる。
【００７７】
条件式（８）は第５レンズ群Ｂ５の物体側のレンズ面と像側のレンズ面によるシェイプファクター（レンズ形状）を規定している。条件式（８）の範囲内のレンズ形状とすることで、フォーカシングに際して球面収差及び像面湾曲の変動を良好に補正している。条件式（８）の下限を超えると、広角端及び望遠端において像面湾曲がアンダー側に大きく倒れるため周辺の光学性能が低下してくる。条件式（８）の上限を超えると、広角端において球面収差がアンダーに画面中心の光学性能が低下してくる。
【００７８】
条件式（９）は第５レンズ群Ｂ５と第６レンズ群Ｂ６の焦点距離の比を規定している。第６レンズ群Ｂ６は全系のペッツバール和の調整を行っているレンズ群であり、像面湾曲を補正している。このため、レンズ群全体の負の屈折力の絶対値としては第５レンズ群Ｂ５の正の屈折力の絶対値よりも弱く（小さく）、収差補正を行っている。条件式（９）の上限を超えて、第６レンズ群Ｂ６の負の屈折力の絶対値が第５レンズ群Ｂ５の正の屈折力の絶対値に比べて強くなりすぎると（大きくなりすぎると）像面湾曲がオーバーとなるため好ましくない。
【００７９】
条件式（１０）は第５レンズ群Ｂ５と第６レンズ群Ｂ６の広角端から望遠端へのズーミングに際しての移動量の比を規定している。条件式（１０）の下限を超えると、第６レンズ群Ｂ６の像側への移動量が大きくなるため、レンズ径の確保が必要となり、レンズの厚みが厚くなるので好ましくない。条件式（１０）の上限を超えると、第６レンズ群Ｂ６が物体側への移動量が大きくなり、第５レンズ群Ｂ５との間隔が小さくなり、第６レンズ群Ｂ６による像面湾曲の補正の効果が小さくなってくるので好ましくない。
【００８０】
条件式（１１）は広角端における第４レンズ群Ｂ４から第６レンズ群Ｂ６までのレンズ系の合成焦点距離と全系の焦点距離の比を規定している。条件式（１１）の下限を超えると、第４レンズ群Ｂ４から第６レンズ群Ｂ６までのレンズ系の合成焦点距離が短くなりすぎてズーム全域における像面湾曲の補正が困難となる。
【００８１】
条件式（１１）の上限を超えると、第４レンズ群Ｂ４から第６レンズ群Ｂ６までのレンズ系の合成焦点距離が長くなり、第２レンズ群Ｂ２や第３レンズ群Ｂ３の変倍作用を強くするためにこれらのレンズ群の屈折力を強くする必要がある。そうすると、ズーム全域における収差補正及び製造敏感度が高くなり好ましくない。
【００８２】
尚、より好ましくは、条件式（４）乃至（１１）の数値範囲を次の如く設定するのが良い。
０．３７＜ＥＳＷ＜０．５０        ・・・（４ａ）
０．６＜ＥＳＴ＜１．０            ・・・（５ａ）
１．５＜ＥＳＴ／ＥＳＷ＜２．１    ・・・（６ａ）
０．７＜β５ｔ／β５ｗ＜０．９    ・・・（７ａ）
−１．３＜（Ｒ５ａ＋Ｒ５ｂ）／（Ｒ５ａ−Ｒ５ｂ）＜０．１  ・・・（８ａ）
ｆ５／｜ｆ６｜＜０．８            ・・・（９ａ）
−０．０８＜Ｍ６／Ｍ５＜０．５５  ・・・（１０ａ）
２．０＜ｆ４５６ｗ／ｆｗ＜２．８  ・・・（１１ａ）
【００８３】
次に各実施例に示したようなズームレンズを撮影光学系として用いたデジタルスチルカメラの実施形態を図１３を用いて説明する。
【００８４】
図１３において、２０はカメラ本体、２１は実施例１乃至６で説明したいずれかのズームレンズによって構成された撮像光学系である。２２はカメラ本体に内蔵され、撮像光学系２１によって形成された被写体像を受光するＣＣＤセンサやＣＭＯＳセンサ等の撮像素子（光電変換素子）である。２３は撮像素子２２によって光電変換された被写体像に対応する情報を記録するメモリである。２４は液晶ディスプレイパネル等によって構成され、撮像素子２２上に形成された被写体像を観察するためのファインダである。
【００８５】
このように本発明のズームレンズをデジタルスチルカメラ等の撮像装置に適用することにより、小型、高性能でありながら、高倍率なズームレンズを有する撮像装置を実現している。
【００８６】
次に、実施例１乃至６に各々対応する数値データ１乃至６を示す。各数値データにおいてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。また、ｋを離心率、Ａ４、Ａ６、Ａ８、Ａ１０、Ａ１２を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０＋Ａ１２ｈ１２
で表示される。但しＲは近軸曲率半径である。また、例えば「ｅ−Ｚ」の表示は「１０−Ｚ」を意味する。
【００８７】
数値データにおいて最後の２つの面は、フィルター、フェースプレート等の光学ブロックの面である。各実施例において、バックフォーカス（ＢＦ）は屈折力を有する最像側レンズ群の最像側のレンズ面から近軸像面までの空気換算での距離である。各数値データにおける上述した条件式との対応を表１に示す。
【００８８】
（数値データ１）
面データ
面番号       r        d      nd         νd       有効径
1         37.151    0.94   1.94595    18.0       25.60
2         24.501    4.00   1.83481    42.7       24.20
3        464.594  (可変)                         23.80
4*        81.489    0.80   1.85135    40.1       17.90
5*        10.845    3.63                         13.90
6        -36.207    0.55   1.88300    40.8       13.40
7         51.803    0.05                         12.90
8         24.890    1.95   1.95906    17.5       12.70
9        -59.241    0.85                         12.30
10        -18.622    0.48   1.83481    42.7       12.10
11       -170.046  (可変)                         11.80
12(絞り)    ∞     (可変)                         10.66
13*        13.205    2.84   1.85135    40.1       12.50
14*       -65.920    0.10                         12.20
15         12.908    2.40   1.69560    59.0       11.30
16       -112.947    0.45   1.85478    24.8       10.50
17          8.595    3.06                          9.40
18          ∞     (可変)                          9.55
19         15.384    2.65   1.49700    81.5       13.00
20       -245.545  (可変)                         13.10
21*        34.013    1.63   1.69350    53.2       13.50
22       -359.894  (可変)                         13.50
23        -18.832    0.55   1.83400    37.2       13.30
24       1227.789    0.05                         13.90
25*        19.939    1.74   1.85135    40.1       14.60
26*        56.757  (可変)                         14.70
27          ∞       1.20   1.51633    64.1       20.00
28          ∞       1.00                         20.00
像面        ∞   
【００８９】
非球面データ
第4面
K = 0.00000e+000  A 4= 2.69158e-005  A 6=-5.77703e-007  A 8= 5.17084e-009  A10=-1.99660e-011  
第5面
K =-2.62355e+000  A 4= 2.93046e-004  A 6=-6.56326e-007  A 8=-5.66088e-009  A10= 3.48742e-010  A12=-2.40954e-012  
第13面
K = 0.00000e+000  A 4=-5.30279e-005  A 6= 1.85678e-007  A 8=-6.76788e-009  A10= 9.67026e-011  A12=-1.01646e-012  
第14面
K = 0.00000e+000  A 4= 2.61158e-005  A 6= 1.14861e-007  A 8=-2.47715e-009  
第21面
K = 0.00000e+000  A 4=-1.53755e-005  A 6=-4.72127e-007  A 8= 5.77504e-009  A10=-5.21317e-011  
第25面
K = 0.00000e+000  A 4=-1.45109e-004  A 6= 1.04644e-006  A 8=-3.87583e-009  A10= 8.94086e-012  
第26面
K = 0.00000e+000  A 4=-1.07404e-004  A 6= 7.43851e-007  
【００９０】
各種データ
ズーム比     4.71 
広角     中間     望遠
焦点距離       9.06    19.01    42.70  
Fナンバー      1.85     2.54     2.88  
半画角（度）   35.52    21.72    10.47  
像高           6.47     7.57     7.89  
レンズ全長    60.62    63.51    74.90  
BF             3.77     8.13     7.81  
d 3            0.38     7.33    18.48  
d11           12.05     1.99     0.35  
d12            4.30     4.54     0.55  
d18            3.94     2.50     1.00  
d20            4.13     5.71     9.53  
d22            2.91     4.37     8.05  
d26            1.98     6.16     6.02  
【００９１】
（数値データ２）
面データ
面番号       r        d      nd         νd       有効径
1         30.710    0.85   1.95906    17.5       25.20
2         20.927    4.38   1.83481    42.7       23.70
3        209.495  (可変)                         23.10
4        114.307    0.60   1.80400    46.6       17.50
5         10.031    3.68                         13.50
6*       -49.811    0.50   1.85135    40.1       12.80
7*        38.370    0.05                         12.30
8         22.886    1.74   1.95906    17.5       12.20
9       -109.634    0.82                         11.80
10        -21.900    0.40   1.83481    42.7       11.50
11          ∞     (可変)                         11.20
12(絞り)    ∞     (可変)                         10.14
13*        15.517    2.31   1.76802    49.2       12.10
14*       -66.096    0.10                         12.00
15         13.213    2.30   1.88300    40.8       11.40
16       -267.189    0.40   1.85478    24.8       10.80
17          9.452    2.22                          9.70
18          ∞     (可変)                          9.46
19         19.414    2.15   1.59282    68.6       13.10
20       -388.457  (可変)                         13.10
21*        36.272    1.58   1.55332    71.7       13.80
22       -101.493  (可変)                         13.90
23        -19.241    0.50   1.80518    25.4       14.00
24         69.918    0.05                         14.80
25*        16.052    2.87   1.85135    40.1       16.40
26         85.135  (可変)                         16.30
27          ∞       1.20   1.51633    64.1       20.00
28          ∞       1.00                         20.00
像面        ∞   
【００９２】
非球面データ
第6面
K = 0.00000e+000  A 4=-4.65934e-006  A 6= 4.38122e-008  A 8=-6.81216e-009  A10=-2.18082e-011  
第7面
K = 0.00000e+000  A 4=-9.12074e-006  A 6= 1.49732e-007  A 8=-5.99692e-009  A10=-8.49470e-011  
第13面
K = 0.00000e+000  A 4=-4.11100e-005  A 6= 1.81977e-007  A 8= 1.03650e-009  A10= 1.88368e-011  
第14面
K = 0.00000e+000  A 4= 2.16197e-005  A 6= 7.33267e-008  A 8= 3.42534e-009  
第21面
K = 0.00000e+000  A 4=-2.60024e-005  A 6=-2.22120e-007  A 8= 4.76418e-010  A10=-1.80435e-011  
第25面
K = 0.00000e+000  A 4=-4.90844e-005  A 6= 2.81810e-007  A 8= 1.83805e-010  A10=-8.25789e-012  
【００９３】
各種データ
ズーム比     4.71 
広角     中間     望遠
焦点距離       9.06    20.04    42.70  
Fナンバー      1.85     2.54     2.88  
半画角（度）  35.52    20.70    10.47  
像高           6.47     7.57     7.89  
レンズ全長    61.46    64.88    72.89  
BF             4.25     8.33     5.40  
d 3            0.70     7.15    16.68  
d11            9.67     0.46     0.45  
d12            6.14     5.05     0.45  
d18            5.95     4.83     1.00  
d20            4.27     6.88    13.39  
d22            2.57     4.27     7.62  
d26            2.46     6.54     3.61  
【００９４】
（数値データ３）
面データ
面番号       r        d      nd         νd       有効径
1         34.208    0.94   1.95906    17.5       25.10
2         22.715    3.80   1.88300    40.8       23.30
3        192.857  (可変)                         22.80
4*       245.905    0.80   1.85135    40.1       18.70
5*        11.533    3.40                         14.20
6        -68.365    1.00   1.92286    18.9       13.70
7        -31.499    0.94                         13.40
8        -15.186    0.49   1.80400    46.6       13.00
9         39.856    0.10                         12.60
10         29.223    1.33   1.94595    18.0       12.60
11      -1104.115  (可変)                         12.40
12(絞り)    ∞     (可変)                         10.88
13*        16.899    2.67   1.76802    49.2       12.70
14*       -54.781    0.10                         12.60
15         10.406    2.28   1.60311    60.6       11.70
16         32.635    0.45   1.85478    24.8       11.00
17          9.102    3.18                         10.10
18          ∞     (可変)                         10.15
19         21.136    2.95   1.49700    81.5       14.00
20        -43.045  (可変)                         14.20
21*        34.989    1.58   1.76802    49.2       14.60
22        286.445  (可変)                         14.60
23        -23.907    0.53   1.76182    26.5       14.20
24         44.669    0.05                         14.70
25*        18.603    2.15   1.85135    40.1       15.30
26*        77.395  (可変)                         15.40
27          ∞       1.20   1.51633    64.1       20.00
28          ∞       1.00                         20.00
像面        ∞   
【００９５】
非球面データ
第4面
K = 0.00000e+000  A 4= 6.73021e-005  A 6=-6.32712e-007  A 8= 5.37667e-009  A10=-1.81487e-011  
第5面
K =-5.09661e+000  A 4= 4.72341e-004  A 6=-3.82321e-006  A 8= 4.93153e-008  A10=-2.74191e-010  A12= 2.82116e-012  
第13面
K = 0.00000e+000  A 4=-2.35365e-005  A 6= 4.97735e-007  A 8=-1.19326e-008  A10= 2.23624e-010  A12=-1.70892e-012  
第14面
K = 0.00000e+000  A 4= 3.18170e-005  A 6= 1.82901e-007  A 8=-6.56881e-010  
第21面
K = 0.00000e+000  A 4=-7.47329e-006  A 6=-5.74378e-009  A 8=-1.42226e-009  A10= 1.62652e-011  
第25面
K = 0.00000e+000  A 4=-2.83957e-005  A 6=-4.73380e-007  A 8= 3.65458e-010  A10=-2.01983e-011  
第26面
K = 0.00000e+000  A 4= 1.51821e-005  A 6=-7.27323e-007  
【００９６】
各種データ
ズーム比     4.71 
広角     中間     望遠
焦点距離       9.06    19.00    42.70  
Fナンバー      1.85     2.54     2.88  
半画角（度）  35.52    21.73    10.47  
像高           6.47     7.57     7.89  
レンズ全長    64.74    66.70    76.00  
BF             4.67     8.93     7.79  
d 3            0.38     7.08    17.14  
d11           13.11     3.52     0.45  
d12            4.88     3.76     0.55  
d18            5.45     3.48     1.00  
d20            4.39     8.29    14.61  
d22            2.72     2.49     5.31  
d26            2.88     7.14     6.00  
【００９７】
（数値データ４）
面データ
面番号       r        d      nd         νd       有効径
1         31.980    0.85   1.94595    18.0       25.00
2         23.269    3.95   1.76385    48.5       24.00
3        212.933  (可変)                         23.50
4        116.967    0.56   1.77250    49.6       18.50
5         11.100    4.47                         14.60
6*       -22.449    0.40   1.55332    71.7       14.00
7         21.206    0.06                         13.20
8         19.038    1.24   1.94595    18.0       13.20
9         40.549  (可変)                         13.00
10(絞り)    ∞     (可変)                         10.66
11*        15.860    2.44   1.82080    42.7       12.70
12*       -86.678    0.10                         12.60
13         12.480    2.39   1.59522    67.7       11.80
14         99.885    0.45   1.85478    24.8       11.00
15         10.318    2.33                         10.10
16          ∞     (可変)                          9.89
17         20.775    2.19   1.71300    53.9       14.60
18       -439.854  (可変)                         14.60
19*        50.598    1.83   1.49710    81.6       14.30
20        -42.568  (可変)                         14.20
21        -18.473    0.55   1.80810    22.8       13.90
22       -244.725    0.10                         14.50
23*        22.243    1.78   1.85135    40.1       15.30
24         85.135  (可変)                         15.30
25          ∞       1.20   1.51633    64.1       20.00
26          ∞       1.00                         20.00
像面        ∞   
【００９８】
非球面データ
第6面
K = 0.00000e+000  A 4=-1.91937e-006  A 6=-1.36820e-007  A 8= 7.77174e-010  A10=-4.38820e-012  
第11面
K = 0.00000e+000  A 4=-2.50305e-005  A 6=-2.36043e-008  
第12面
K = 0.00000e+000  A 4= 1.65996e-005  A 6= 1.94702e-008  A 8=-2.62546e-010  
第19面
K = 0.00000e+000  A 4=-1.93284e-005  A 6=-1.62168e-007  A 8=-5.78277e-011  A10= 7.96367e-013  
第23面
K = 0.00000e+000  A 4=-3.65896e-005  A 6=-2.29863e-008  A 8= 3.86575e-009  A10=-3.92077e-011  
【００９９】
各種データ
ズーム比     4.71 
広角     中間     望遠
焦点距離       9.06    20.00    42.70  
Fナンバー      1.85     2.54     2.88  
半画角（度）  35.52    20.74    10.47  
像高           6.47     7.57     7.89  
レンズ全長    66.25    66.99    75.68  
BF             5.88    10.22     5.40  
d 3            0.38     7.02    18.70  
d 9           13.14     1.73     0.97  
d10            6.73     4.83     0.15  
d16            7.85     5.77     1.00  
d18            3.59     7.63    14.14  
d20            2.57     3.69     9.22  
d24            4.09     8.43     3.61  
【０１００】
（数値データ５）
面データ
面番号       r        d      nd         νd      有効径
1         35.016    0.94   1.92286    18.9       25.60
2         24.636    3.83   1.77250    49.6       23.90
3        524.381  (可変)                         23.40
4*        83.629    0.80   1.85135    40.1       18.10
5*        10.976    3.86                         14.00
6        -30.948    0.55   1.88300    40.8       13.40
7         35.243    0.05                         12.90
8         23.631    2.04   2.00272    19.3       12.80
9        -58.394    1.09                         12.40
10        -15.888    0.48   1.65412    39.7       12.20
11        -65.214  (可変)                         11.80
12(絞り)    ∞     (可変)                         11.25
13*        14.254    2.68   1.85135    40.1       12.80
14*      -111.678    0.10                         12.60
15         13.796    2.36   1.80400    46.6       11.80
16       -195.297    0.45   1.85478    24.8       11.30
17          8.907    3.23                         10.10
18          ∞     (可変)                         10.23
19         22.877    2.27   1.49700    81.5       13.40
20        -90.500  (可変)                         13.60
21*        35.992    1.63   1.76802    49.2       15.10
22        434.059  (可変)                         15.10
23        -90.713    0.55   1.95906    17.5       15.30
24         63.503    0.05                         15.40
25*        22.714    1.78   1.85135    40.1       15.70
26*        77.395  (可変)                         15.70
27          ∞       1.20   1.51633    64.1       20.00
28          ∞       1.00                         20.00
像面        ∞   
【０１０１】
非球面データ
第4面
K = 0.00000e+000  A 4= 4.19738e-005  A 6=-5.52495e-007  A 8= 4.65748e-009  A10=-1.88768e-011  
第5面
K =-1.97595e+000  A 4= 2.40351e-004  A 6= 1.46776e-007  A 8=-7.54743e-009  A10= 3.88383e-010  A12=-3.00886e-012  
第13面
K = 0.00000e+000  A 4=-4.11176e-005  A 6= 3.62581e-007  A 8=-1.09746e-008  A10= 7.46484e-011  A12=-8.64287e-013  
第14面
K = 0.00000e+000  A 4= 2.02770e-005  A 6= 2.96434e-007  A 8=-8.55398e-009  
第21面
K = 0.00000e+000  A 4=-1.07827e-005  A 6=-9.18784e-008  A 8= 2.14774e-009  A10=-1.28231e-011  
第25面
K = 0.00000e+000  A 4=-8.35025e-005  A 6= 4.26152e-007  A 8=-1.61929e-009  A10=-6.48141e-013  
第26面
K = 0.00000e+000  A 4=-6.48281e-005  A 6= 5.25379e-007  
【０１０２】
各種データ
ズーム比     4.71 
広角     中間     望遠
焦点距離       9.06    19.00    42.70  
Fナンバー      1.86     2.54     2.88  
半画角（度）  35.52    21.73    10.47  
像高           6.47     7.57     7.89  
レンズ全長    64.32    67.49    81.63  
BF             6.55     7.12     7.23  
d 3            0.38     7.13    18.39  
d11           11.97     2.90     0.35  
d12            5.30     2.81     0.56  
d18            4.27     4.77     1.00  
d20            4.49     2.97    11.85  
d22            2.20    10.64    13.11  
d26            4.76     5.33     5.44  
【０１０３】
（数値データ６）
面データ
面番号       r        d      nd         νd       有効径
1         38.292    0.94   1.94595    18.0       25.70
2         25.320    4.00   1.83481    42.7       24.60
3        548.892  (可変)                         24.20
4*        80.887    0.80   1.85135    40.1       17.90
5*        10.835    3.57                         13.90
6        -39.238    0.55   1.88300    40.8       13.40
7         48.662    0.05                         12.90
8         23.994    1.93   1.95906    17.5       12.70
9        -67.714    0.90                         12.30
10        -18.567    0.48   1.83481    42.7       12.00
11       -170.195  (可変)                         11.70
12(絞り)    ∞     (可変)                         10.66
13*        13.292    2.85   1.85135    40.1       12.60
14*       -62.944    0.10                         12.30
15         12.849    2.43   1.69560    59.0       11.30
16       -106.992    0.45   1.85478    24.8       10.50
17          8.587    3.06                          9.40
18          ∞     (可変)                          9.55
19         15.325    2.55   1.49700    81.5       13.00
20      -1681.932  (可変)                         13.00
21*        36.298    1.73   1.72903    54.0       13.80
22       -145.333  (可変)                         13.80
23        -18.822    0.55   1.90043    37.4       13.40
24       -772.324    0.05                         13.90
25*        20.207    1.75   1.85135    40.1       14.70
26*        56.757  (可変)                         14.70
27          ∞       1.20   1.51633    64.1       20.00
28          ∞       1.00                         20.00
像面        ∞   
【０１０４】
非球面データ
第4面
K = 0.00000e+000  A 4= 2.71243e-005  A 6=-5.75446e-007  A 8= 5.18260e-009  A10=-2.06527e-011  
第5面
K =-2.62097e+000  A 4= 2.94628e-004  A 6=-6.65731e-007  A 8=-5.22277e-009  A10= 3.65141e-010  A12=-2.74055e-012  
第13面
K = 0.00000e+000  A 4=-5.21935e-005  A 6= 1.81936e-007  A 8=-7.42691e-009  A10= 1.09338e-010  A12=-1.22463e-012  
第14面
K = 0.00000e+000  A 4= 2.66571e-005  A 6= 1.12403e-007  A 8=-3.08743e-009  
第21面
K = 0.00000e+000  A 4=-1.52341e-005  A 6=-4.32015e-007  A 8= 5.95260e-009  A10=-5.82937e-011  
第25面
K = 0.00000e+000  A 4=-1.50082e-004  A 6= 1.11431e-006  A 8=-5.09258e-009  A10= 2.73515e-011  
第26面
K = 0.00000e+000  A 4=-1.19959e-004  A 6= 8.25203e-007  
【０１０５】
各種データ
ズーム比     4.71 
広角     中間     望遠
焦点距離       9.06    19.11    42.70  
Fナンバー      1.85     2.54     2.88  
半画角（度）  35.52    21.62    10.47  
像高           6.47     7.57     7.89  
レンズ全長    60.62    63.80    75.96  
BF             3.77     8.05     8.00  
d 3            0.38     7.35    18.93  
d11           12.05     2.86     0.35  
d12            4.27     3.58     0.55  
d18            3.98     2.64     1.35  
d20            4.04     5.60     9.30  
d22            2.98     4.58     8.32  
d26            1.98     6.26     6.21  
【０１０６】
【表１】
2019113609.tif 000003
【符号の説明】
【０１０７】
Ｌ０  ズームレンズ      Ｂ１  第１レンズ群      Ｂ２  第２レンズ群
Ｂ３  第３レンズ群      Ｂ４  第４レンズ群      Ｂ５  第５レンズ群
Ｂ６  第６レンズ群      ＳＰ  開口絞り
【図１】
2019113609.tif 000004
【図２】
2019113609.tif 000005
【図３】
2019113609.tif 000006
【図４】
2019113609.tif 000007
【図５】
2019113609.tif 000008
【図６】
2019113609.tif 000009
【図７】
2019113609.tif 000010
【図８】
2019113609.tif 000011
【図９】
2019113609.tif 000012
【図１０】
2019113609.tif 000013
【図１１】
2019113609.tif 000014
【図１２】
2019113609.tif 000015
【図１３】
2019113609.tif 000016
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群、正の屈折力の第５レンズ群、第６レンズ群より構成され、ズーミングに際して隣り合うレンズ群の間隔が変化するズームレンズであって、
広角端から望遠端へのズーミングに際して、前記第１レンズ群が物体側へ移動し、 フォーカシングに際して前記第５レンズ群は移動し、
広角端における全系の焦点距離をｆｗ、前記第５レンズ群の焦点距離をｆ５、広角端におけるＦナンバーをＦｎｏｗ、広角端におけるレンズ全長をＬｗ、広角端において無限遠合焦時の前記第５レンズ群の物体側のレンズ面から像面までの距離をＤ５ｉｗ、広角端から望遠端へのズーミングにおける無限遠合焦時の前記第５レンズ群の移動量をＭ５とするとき、
２．０＜ｆ５／ｆｗ＜１０．０
０．１＜（Ｆｎｏｗ×Ｄ５ｉｗ）／Ｌｗ＜０．８
０．０５＜Ｍ５／Ｌｗ＜０．３０
なる条件式を満足することを特徴とするズームレンズ。
【請求項２】
広角端において無限遠合焦時の前記第５レンズ群の横倍率をβ５ｗ、広角端において無限遠合焦時の前記第６レンズ群の横倍率をβ６ｗとし、広角端において無限遠合焦時の前記第５レンズ群のフォーカス敏感度ＥＳＷを
ＥＳＷ＝（１−β５ｗ２）×β６ｗ２
とおくとき、
０．３＜ＥＳＷ＜０．７
なる条件式を満足することを特徴とする請求項１に記載のズームレンズ。
【請求項３】
望遠端において無限遠合焦時の前記第５レンズ群の横倍率をβ５ｔ、望遠端において無限遠合焦時の前記第６レンズ群の横倍率をβ６ｔとし、望遠端において無限遠合焦時の前記第５レンズ群のフォーカス敏感度ＥＳＴを
ＥＳＴ＝（１−β５ｔ２）×β６ｔ２
とおくとき、
０．６＜ＥＳＴ＜１．２
なる条件式を満足することを特徴とする請求項１または２に記載のズームレンズ。
【請求項４】
広角端において無限遠合焦時の前記第５レンズ群の横倍率をβ５ｗ、広角端において無限遠合焦時の前記第６レンズ群の横倍率をβ６ｗとし、広角端において無限遠合焦時の前記第５レンズ群のフォーカス敏感度ＥＳＷを
ＥＳＷ＝（１−β５ｗ２）×β６ｗ２
とおき、
望遠端において無限遠合焦時の前記第５レンズ群の横倍率をβ５ｔ、望遠端において無限遠合焦時の前記第６レンズ群の横倍率をβ６ｔとし、望遠端において無限遠合焦時の前記第５レンズ群のフォーカス敏感度ＥＳＴを
ＥＳＴ＝（１−β５ｔ２）×β６ｔ２
とおくとき、
１．５＜ＥＳＴ／ＥＳＷ＜５．０
なる条件式を満足することを特徴とする請求項１乃至３のいずれか１項に記載のズームレンズ。
【請求項５】
広角端において無限遠合焦時の前記第５レンズ群の横倍率をβ５ｗ、望遠端において無限遠合焦時の前記第５レンズ群の横倍率をβ５ｔとするとき、
０．５＜β５ｔ／β５ｗ＜１．０
なる条件式を満足することを特徴とする請求項１乃至４のいずれか１項に記載のズームレンズ。
【請求項６】
前記第５レンズ群の最も物体側のレンズ面の曲率半径をＲ５ａ、前記第５レンズ群の最も像側のレンズ面の曲率半径をＲ５ｂとするとき、
−１．５＜（Ｒ５ａ＋Ｒ５ｂ）／（Ｒ５ａ−Ｒ５ｂ）＜０．５
なる条件式を満足することを特徴とする請求項１乃至５のいずれか１項に記載のズームレンズ。
【請求項７】
前記第５レンズ群は１つのレンズ成分から構成されていることを特徴とする請求項１乃至６のいずれか１項に記載のズームレンズ。
【請求項８】
前記１つのレンズ成分は非球面を有することを特徴とする請求項７に記載のズームレンズ。
【請求項９】
前記第６レンズ群の焦点距離をｆ６とするとき、
ｆ５／｜ｆ６｜＜１．０
なる条件式を満足することを特徴とする請求項１乃至８のいずれか１項に記載のズームレンズ。
【請求項１０】
広角端から望遠端へのズーミングにおける無限遠合焦時の前記第６レンズ群の移動量をＭ６とするとき、
−０．１＜Ｍ６／Ｍ５＜０．６
なる条件式を満足することを特徴とする請求項１乃至９のいずれか１項に記載のズームレンズ。
【請求項１１】
広角端において無限遠合焦時の、前記第４レンズ群と、前記第５レンズ群と、前記第６レンズ群の合成焦点距離をｆ４５６ｗとするとき、
１．５＜ｆ４５６ｗ／ｆｗ＜３．５
なる条件式を満足することを特徴とする請求項１乃至１０のいずれか１項に記載のズームレンズ。
【請求項１２】
無限遠から近距離へのフォーカシングに際して前記第５レンズ群は物体側へ移動することを特徴とする請求項１乃至１１のいずれか１項に記載のズームレンズ。
【請求項１３】
請求項１乃至１２のいずれか１項に記載のズームレンズと、該ズームレンズによって形成される像を受光する撮像素子とを有していることを特徴とする撮像装置。
【手続補正２】
【補正対象書類名】明細書
【補正対象項目名】００１１
【補正方法】変更
【補正の内容】
【００１１】
本発明のズームレンズは物体側から像側へ順に配置された、正の屈折力の第１レンズ群、負の屈折力の第２レンズ群、正の屈折力の第３レンズ群、正の屈折力の第４レンズ群、正の屈折力の第５レンズ群、第６レンズ群より構成され、ズーミングに際して隣り合うレンズ群の間隔が変化するズームレンズであって、
広角端から望遠端へのズーミングに際して、前記第１レンズ群が物体側へ移動し、 フォーカシングに際して前記第５レンズ群は移動し、
広角端における全系の焦点距離をｆｗ、前記第５レンズ群の焦点距離をｆ５、広角端におけるＦナンバーをＦｎｏｗ、広角端におけるレンズ全長をＬｗ、広角端において無限遠合焦時の前記第５レンズ群の物体側のレンズ面から像面までの距離をＤ５ｉｗ、広角端から望遠端へのズーミングにおける無限遠合焦時の前記第５レンズ群の移動量をＭ５とするとき、
２．０＜ｆ５／ｆｗ＜１０．０
０．１＜（Ｆｎｏｗ×Ｄ５ｉｗ）／Ｌｗ＜０．８
０．０５＜Ｍ５／Ｌｗ＜０．３０
なる条件式を満足することを特徴とするズームレンズ。
【手続補正３】
【補正対象書類名】明細書
【補正対象項目名】００５４
【補正方法】変更
【補正の内容】
【００５４】
広角端から望遠端へのズーミングに際して、第１レンズ群Ｂ１が物体側へ移動する。ズーミングに際して隣り合うレンズ群の間隔が変化する。フォーカシングに際して第５レンズ群Ｂ５は移動する。広角端における全系の焦点距離をｆｗ、第５レンズ群Ｂ５の焦点距離をｆ５とする。広角端におけるＦナンバーをＦｎｏｗ、広角端におけるレンズ全長をＬｗ、広角端において無限遠合焦時の第５レンズ群Ｂ５の物体側のレンズ面から像面までの距離をＤ５ｉｗとする。広角端から望遠端へのズーミングにおける無限遠合焦時の第５レンズ群の移動量をＭ５とする。
【手続補正４】
【補正対象書類名】明細書
【補正対象項目名】００５５
【補正方法】変更
【補正の内容】
【００５５】
このとき、
２．０＜ｆ５／ｆｗ＜１０．０                  ・・・（１）
０．１＜（Ｆｎｏｗ×Ｄ５ｉｗ）／Ｌｗ＜０．８  ・・・（２）
０．０５＜Ｍ５／Ｌｗ＜０．３０                ・・・（３）
なる条件式を満足する。
【手続補正５】
【補正対象書類名】明細書
【補正対象項目名】００６３
【補正方法】変更
【補正の内容】
【００６３】
尚、小型でかつ至近撮影で球面収差が少なくするためにより好ましくは、条件式（１）乃至条件式（３）の数値範囲を次の如く設定するのが良い。
３．０＜ｆ５／ｆｗ＜８．０                    ・・・（１ａ）
０．２＜（Ｆｎｏｗ×Ｄ５ｉｗ）／Ｌｗ＜０．５  ・・・（２ａ）
０．０５＜Ｍ５／Ｌｗ＜０．２５                ・・・（３ａ）
【手続補正６】
【補正対象書類名】明細書
【補正対象項目名】００６４
【補正方法】変更
【補正の内容】
【００６４】
更に好ましくは、条件式（１ａ）乃至条件式（３ａ）の数値範囲を次の如く設定するのが良い。
４．０＜ｆ５／ｆｗ＜６．０                    ・・・（１ｂ）
０．３＜（Ｆｎｏｗ×Ｄ５ｉｗ）／Ｌｗ＜０．４  ・・・（２ｂ）
０．０８＜Ｍ５／Ｌｗ＜０．２０                ・・・（３ｂ）
【手続補正７】
【補正対象書類名】明細書
【補正対象項目名】００６５
【補正方法】変更
【補正の内容】
【００６５】
各実施例において好ましくは次の条件式のうち１つ以上を満足するのが良い。広角端において無限遠合焦時の第５レンズ群Ｂ５の横倍率をβ５ｗ、広角端において無限遠合焦時の第６レンズ群Ｂ６の横倍率をβ６ｗとする。広角端において無限遠合焦時の第５レンズ群のフォーカス敏感度ＥＳＷを
ＥＳＷ＝（１−β５ｗ２）×β６ｗ２
とおく。
【手続補正８】
【補正対象書類名】明細書
【補正対象項目名】００６６
【補正方法】変更
【補正の内容】
【００６６】
望遠端において無限遠合焦時の第５レンズ群Ｂ５の横倍率をβ５ｔ、望遠端において無限遠合焦時の第６レンズ群Ｂ６の横倍率をβ６ｔとする。望遠端において無限遠合焦時の第５レンズ群のフォーカス敏感度ＥＳＴを
ＥＳＴ＝（１−β５ｔ２）×β６ｔ２
とおく。
【手続補正９】
【補正対象書類名】明細書
【補正対象項目名】００６７
【補正方法】変更
【補正の内容】
【００６７】
広角端において無限遠合焦時の第５レンズ群Ｂ５の横倍率をβ５ｗ、望遠端における無限遠合焦時の第５レンズ群Ｂ５の横倍率をβ５ｔとする。第５レンズ群Ｂ５の最も物体側のレンズ面の曲率半径と最も像側のレンズ面の曲率半径を各々Ｒ５ａ、Ｒ５ｂとする。第６レンズ群Ｂ６の焦点距離をｆ６とする。広角端から望遠端へのズーミングにおける無限遠合焦時の第６レンズ群Ｂ６の移動量をＭ６とする。広角端において無限遠合焦時の第４レンズ群Ｂ４、第５レンズ群Ｂ５、第６レンズ群Ｂ６の合成焦点距離をｆ４５６ｗとする。